(57)【要約】【課題】小型化が図れる回転式電子部品を提供する。【解決手段】円弧状の回転体収納部７１を有してなるケース５０と、回転体収納部７１に収納され、回転体収納部７１の外部に位置する回転中心軸Ｌ１を中心にして回転する回転体５０と、回転体５０が回転することでその電気的出力を変化する電気的機能部（摺動子１７０と摺接パターン９１，９３）とを具備する。回転体５０は、回転体収納部７１の回転中心軸Ｌ１に近い側の側面５３ａと回転中心軸Ｌ１から遠い側の側面７３ａとにそれぞれガイドされて移動する内側ガイド部１５１と外側ガイド部１５３とを有して構成される。【選択図】図３
2008071590.tif 000002
【特許請求の範囲】
【請求項１】
円弧状の回転体収納部を有してなるケースと、
前記回転体収納部に収納され、回転体収納部の外部に位置する回転中心軸を中心にして回転する回転体と、
前記回転体が回転することでその電気的出力を変化する電気的機能部と、を具備し、
前記回転体は、前記回転体収納部の前記回転中心軸に近い側の側面と前記回転中心軸から遠い側の側面とにそれぞれガイドされて移動する内側ガイド部と外側ガイド部とを有して構成されていることを特徴とする回転式電子部品。
【請求項２】
前記電気的機能部は、ケースの回転体収納部内に設置される摺接パターンと、回転体に設置されて前記摺接パターン上を摺動する摺動子とを具備して構成されていることを特徴とする請求項１に記載の回転式電子部品。
【請求項３】
前記回転体は、その内側ガイド部と外側ガイド部間を連結部によって連結して構成され、
前記摺動子は、前記連結部から前記内側ガイド部と外側ガイド部の間の隙間に突出していることを特徴とする請求項２に記載の回転式電子部品。
【請求項４】
コイル部と、前記コイル部の両端から半径方向外方に向けて突出する弾発部とを有してなるねじりコイルバネを具備し、
前記ねじりコイルバネのコイル部を、前記ケースの前記回転体収納部外側の前記回転中心軸側の部分に設置すると共に、前記弾発部を前記回転体収納部内に挿入して前記回転体に係合することで、回転体の自動復帰機構を構成したことを特徴とする請求項１乃至３の内の何れかに記載の回転式電子部品。
【発明の詳細な説明】
【技術分野】
【０００１】
本発明は、回転式電子部品に関するものである。
【背景技術】
【０００２】
従来、デジタルカメラや携帯電話等の各種携帯機器、コンピュータ、車載用ナビゲーションシステム、各種ＯＡ機器、ゲーム機等を操作するデバイス等として、小型・薄型化した回転式電子部品がある。また別の機能（例えば押圧式電子部品の機能）を併せ持たせた構造の回転式電子部品（複合型電子部品）もある。
【０００３】
回転式電子部品は通常、その中央に設置した軸に回動自在に回転体を取り付けて構成されている。しかしながらこのような構造の回転式電子部品の場合、回転体中央の軸を取り付けた部分については、別の機能部品を設置することができなかった。このため回転式電子部品の軸をリング状とし、この軸の外周に回動自在に回転体を取り付けることで、前記軸の中央の開口部分に他の電子部品を収納するスペースを設け、電子部品の集約化を図ったものもあった（例えば特許文献１参照）。しかしながらそのような構造の回転式電子部品においても、回転体の外形寸法のさらなる小型化は困難であった。
【特許文献１】特開平８−１８５７６０号公報
【発明の開示】
【発明が解決しようとする課題】
【０００４】
本発明は上述の点に鑑みてなされたものでありその目的は、小型化が容易に図れる回転式電子部品を提供することにある。
【課題を解決するための手段】
【０００５】
本願請求項１に記載の発明は、円弧状の回転体収納部を有してなるケースと、前記回転体収納部に収納され、回転体収納部の外部に位置する回転中心軸を中心にして回転する回転体と、前記回転体が回転することでその電気的出力を変化する電気的機能部と、を具備し、前記回転体は、前記回転体収納部の前記回転中心軸に近い側の側面と前記回転中心軸から遠い側の側面とにそれぞれガイドされて移動する内側ガイド部と外側ガイド部とを有して構成されていることを特徴とする回転式電子部品にある。
【０００６】
本願の請求項２に記載の発明は、前記電気的機能部は、ケースの回転体収納部内に設置される摺接パターンと、回転体に設置されて前記摺接パターン上を摺動する摺動子とを具備して構成されていることを特徴とする請求項１に記載の回転式電子部品にある。
【０００７】
本願の請求項３に記載の発明は、前記回転体は、その内側ガイド部と外側ガイド部間を連結部によって連結して構成され、前記摺動子は、前記連結部から前記内側ガイド部と外側ガイド部の間の隙間に突出していることを特徴とする請求項２に記載の回転式電子部品にある。
【０００８】
本願の請求項４に記載の発明は、コイル部と、前記コイル部の両端から半径方向外方に向けて突出する弾発部とを有してなるねじりコイルバネを具備し、前記ねじりコイルバネのコイル部を、前記ケースの前記回転体収納部外側の前記回転中心軸側の部分に設置すると共に、前記弾発部を前記回転体収納部内に挿入して前記回転体に係合することで、回転体の自動復帰機構を構成したことを特徴とする請求項１乃至３の内の何れかに記載の回転式電子部品にある。
【発明の効果】
【０００９】
請求項１に記載の発明によれば、ケースに設ける回転体収納部が円弧状であり、回転中心軸の全周を囲む構造ではないので、その分ケースの外形の小型化、即ち回転式電子部品の外形の小型化が図れる。また回転体を内側ガイド部と外側ガイド部とによってガイドするので、円弧状の回転体収納部であっても、その内部を回転体がスムーズに回転できる。
【００１０】
請求項２に記載の発明によれば、摺接パターンに摺動子が摺接する構造の電気的機能部を構成できる。
【００１１】
請求項３に記載の発明によれば、摺動子の両側が内側ガイド部と外側ガイド部とによって保護されるので、摺動子の変形や破壊が防止できる。また摺動子を内側ガイド部と外側ガイド部の間の空きスペースに設置したので、摺動子設置のためのスペースを別途設ける必要がなく、小型化が図れる。
【００１２】
請求項４に記載の発明によれば、ケースの回転体収納部の内側（回転中心軸側）の部分を有効に利用して回転体の自動復帰機構を設置したので、電子部品を大型化することなく、容易に回転体に自動復帰機能を付与することができる。
【発明を実施するための最良の形態】
【００１３】
以下、本発明の実施形態を図面に基づいて詳細に説明する。
図１は本発明の１実施形態にかかる回転式電子部品（押圧式電子部品付き回転式電子部品）１を上側から見た斜視図、図２は回転式電子部品１を下側から見た斜視図、図３は回転式電子部品１の分解斜視図である。なお以下の説明において、「上側（上）」とはこの回転式電子部品１を図示しない回路基板上に載置する面の反対側の面、「下側（下）」とはこの回転式電子部品１を図示しない回路基板上に載置する側の面を言うものとする。
【００１４】
回転式電子部品１は、ケース５０内に、回転式電子部品部３０と、回転式電子部品部３０の回転中心位置に設置される他の電子部品（以下「押釦スイッチ」という）１０とを収納して構成されている。具体的には、図３に示すように、１枚の回路基板（以下「フレキシブル回路基板」という）９０と、３枚の電極板１１０と、４枚の当接板１３０とがインサート成形された前記ケース５０と、電気的機能部である摺動子１７０がインサート成形された回転体１５０と、可動接点板１９０と、可動接点板１９０上に設置される防塵シート２１０と、防塵シート２１０の周囲を囲む位置に設置される自動復帰機構（以下「ねじりコイルバネ」という）２４０と、カバー２３０とを具備して構成されている。以下各構成部品について説明する。
【００１５】
図４はケース５０とケース５０内にインサート成形されるフレキシブル回路基板９０と電極板１１０と当接板１３０とを分離してそれぞれを別々に示す斜視図である。同図に示すようにケース５０は、合成樹脂を略扇形状の略平板状に成形し、その上面に略円形凹状で前記可動接点板１９０を収納する他部品収納部（以下「押釦スイッチ収納部」という）５１と、押釦スイッチ収納部５１の周囲を囲む位置に設けられるリング状で凹状のバネ収納部５２と、バネ収納部５２の周囲を囲むように設けられる側壁５３と、側壁５３の外側に設置され前記回転体１５０及び摺動子１７０等を収納する円弧状の回転体収納部７１とを設けて構成されている。ケース５０の押釦スイッチ収納部５１底面の約１８０°対向する内周辺に接する位置には一対の接点板載置部５５，５５が設けられ、また前記内周辺の前記一対の接点板載置部５５，５５とは９０°回転した位置には一対の半径方向外側に向かって凹むガイド溝５７，５７が設けられている。接点板載置部５５は押釦スイッチ収納部５１の底面から上方向に向けて押釦スイッチ収納部５１の厚み以下の所定の厚み寸法だけ平板状に突出している。ガイド溝５７は下記する可動接点板１９０に設けたガイド部１９７を上下動自在に収納してガイドする寸法形状に形成されている。またケース５０上面の前記押釦スイッチ収納部５１の周囲には、防塵シート２１０を収納する円形凹状の防塵シート収納部５９が設けられている。防塵シート収納部５９の深さは防塵シート２１０の厚みとほぼ同一である。一方前記回転体収納部７１は、前記円形の押釦スイッチ収納部５１の周囲を囲むように円弧状に形成されており、その外側の円弧状の外周側壁（回転体収納部７１の前記側壁５３に対向する側壁）７３の略中央に、下記する回転体１５０のレバー１５７を挿通する切り欠きからなるレバー挿通部７５を設けて構成されている。またケース５０の外周側面には、複数（この実施形態では４ヶ所であるが、図４では３ヶ所のみ示す）の爪状の突起からなる係合部７７が設けられている。またバネ収納部５２の回転体１５０を設置する側の側壁５３にはバネ収納部５２の底面と同一面まで切り欠いてなる弾発部挿入部６７が設けられている。なおこの実施形態ではケース５０の材質としてポリアミド樹脂を用いているが、他の各種樹脂材を用いても良い。
【００１６】
フレキシブル回路基板９０は可撓性を有する略円弧形状の合成樹脂フイルム上に円弧状に一対の摺接パターン９１，９３とそれらにそれぞれ接続する当接板当接部９５とを設けて構成されている。摺接パターン９１，９３は電気的機能部である。合成樹脂フイルムの材質はこの実施形態ではポリフェニレンスルフイド（ＰＰＳ）フイルムを用いているが、ポリイミドフイルムやポリエチレンテレフタレートフイルム等、他の各種材質のものを用いても良い。一対の摺接パターン９１，９３は同一円弧上にあり、一方の摺接パターン９１は高導電性のコモンパターン、もう一方の摺接パターン９３は抵抗体パターンである。摺接パターン９１は銀ペーストを印刷してなるパターン上に硫化対策のためのカーボンペーストを印刷して構成され、摺接パターン９３はカーボンペーストを印刷して構成されている。摺接パターン９１の一端に接続される当接板当接部９５はフレキシブル回路基板９０の一方の端部に設置され、また摺接パターン９３の両端にそれぞれ接続される当接板当接部９５はフレキシブル回路基板９０の他方の端部に設置される。当接板当接部９５は何れも銀ペーストを印刷してなるパターン上にウレタン樹脂中に銀粉を混練してなる銀ペーストを印刷して構成されている。ウレタン樹脂を用いた銀ペーストは弾性を有する。
【００１７】
電極板１１０は、３枚の略帯状の金属板を所定の隙間を介してそれらの表面が同一面となるように平行に並べ、それぞれの端部から細帯状の第１端子板１１１を突出し、その根元部分を直角に下方向に向けて折り曲げ、さらにその先端部分を直角に外方向（電極板１１０から離れる方向）に向けて折り曲げ、前記先端部分を実装面１１３として構成されている。実際には図３に示すように、各電極板１１０は、前記ケース５０内にインサート成形され、押釦スイッチ収納部５１の底面に露出し、また各第１端子板１１１はケース５０の外周側壁から突出している。それら実装面１１３の下面はケース５０の下面と同一面に位置する。電極板１１０の材質はこの実施形態ではリン青銅板の表面に銀めっきを施したものを用いているが、他の材質であっても良い。
【００１８】
当接板１３０は金属板製であり、それぞれ前記フレキシブル回路基板９０の両端辺近傍部分に配置され、略矩形状で前記当接板当接部９５上に位置するように形成され、各当接板１３０の外方を向く辺からはそれぞれ細帯状の第２端子板１３１を突出し、その根元部分を直角に下方向に向けて折り曲げ、さらにその先端部分を直角に外方向（当接板１３０から離れる方向）に向けて折り曲げ、前記先端部分を実装面１３３として構成している。それら実装面１３３の下面は前記電極板１１０の実装面１１３の下面と同様に、ケース５０の下面と同一面に位置する。当接板１３０の材質はこの実施形態ではリン青銅板の表面に銀めっきを施したものを用いているが、他の材質であっても良い。
【００１９】
そして実際には図３に示すように、フレキシブル回路基板９０と電極板１１０と当接板１３０は、ケース５０内にインサート成形されるが、その際フレキシブル回路基板９０の摺接パターン９１，９３と電極板１１０は、それぞれケース５０の回転体収納部７１の底面と押釦スイッチ収納部５１の底面とに露出する。電極板１１０の露出する表面の位置と、フレキシブル回路基板９０の露出する表面の位置とは、ケース５０の高さ方向（厚み方向）に段差（高さ位置が異なる）を有している。またフレキシブル回路基板９０の当接板当接部９５上にはそれぞれ当接板１３０が載置され、両者はケース５０を構成する合成樹脂によって挟持され確実に接続される。図５は前記インサート成形工程を示す図である。同図は図３のＢ−Ｂ線部分の断面を示している。即ちこのインサート成形工程は、図４に示すフレキシブル回路基板９０の各当接板当接部９５に当接板１３０をそれぞれ当接した状態で（なお４つの当接板１３０の内、１つの当接板１３０は当接板当接部９５に当接しないダミーの当接板である）、これらフレキシブル回路基板９０と電極板１１０と当接板１３０とを図５に示す第１，第２金型３００，３１０内に設置する。その際、第１金型３００に設けた金型面３０１，３０３にそれぞれ前記電極板１１０の表面と前記フレキシブル回路基板９０の摺接パターン９１，９３を設けた部分の表面とを当接し、この状態で第１，第２金型３００，３１０の前記電極板１１０とフレキシブル回路基板９０の周囲に形成されるキャビティーＣ１内に第２金型３１０側（即ちフレキシブル回路基板９０の摺接パターン９１，９３等を設けていない反対面側）に設けた樹脂注入口Ｐ１から溶融成形樹脂を圧入してキャビティーＣ１内を満たす。そして溶融成形樹脂硬化後に第１，第２金型３００，３１０を取り外す。これによって図３に示す、電極板１１０の表面とフレキシブル回路基板９０の摺接パターン９１，９３を設けた部分の表面とをそれぞれ押釦スイッチ収納部５１の底面と回転体収納部７１の底面とに段差を有して露出した状態で電極板１１０とフレキシブル回路基板９０とをインサート成形したケース５０が完成する。なお前記溶融成形樹脂の圧入圧力によってフレキシブル回路基板９０の各当接板当接部９５はその裏面側から各当接板１３０に押し付けられるので、両者は確実に接続される。なお図３，図４に示す６１は、各当接板１３０を第１金型３００側から突出してその先端が各当接板１３０に当接してこれを支持するピンによって形成されたものである。また図５に示す実装面１１３の先端に連続する部分１１５は、ケース５０成形後に切断されるリードフレーム側の部分である。なお図示はしないが当接板１３０の実装面１３３の先端に連続する部分にもケース５０成形時には同様にケース５０成形後に切断されるリードフレーム側の部分が取り付いている。また図２に示す６３はピンゲート残り、６５は第２金型３１０側から突出してその先端がフレキシブル回路基板９０に当接してフレキシブル回路基板９０を第１金型３００と共に挟持するピンによって形成されたものである。
【００２０】
図６は回転体１５０と回転体１５０にインサート成形される摺動子１７０とを分離して示した斜視図である。同図及び図３に示すように、回転体１５０は内部に摺動子１７０をインサート成形した合成樹脂によって構成されており、前記ケース５０の回転体収納部７１の押釦スイッチ収納部５１側の側壁５３の側面５３ａとこの側面５３ａに対向する外周側壁７３の側面７３ａとにそれぞれガイドされて円弧状に移動する略円弧状の内側ガイド部１５１及び外側ガイド部１５３と、これらの中間部分においてこれらを連結する連結部１５５と、外側ガイド部１５３の中間部分から半径方向外方（内側ガイド部１５１に対向しない側）に向けて突出するレバー１５７とを具備して構成されている。なお別の見方で言えば、側面５３ａは回転体収納部７１の下記する回転体１５０の回転中心軸Ｌ１に近い側の側面であり、側面７３ａは前記回転中心軸Ｌ１から遠い側の側面ということもできる。外側ガイド部１５３の長さは内側ガイド部１５１よりも左右両方向に向けて共に長く、その長さは前記ケース５０に設けた円弧状のレバー挿通部７５の幅（長さ）に、回転体１５０が左右にそれぞれ回動する長さを加えた長さ以上の長さとしている。また内側ガイド部１５１の前記弾発部挿入部６７に対向する位置には、弾発部挿入部６７の底面の位置と同一位置まで切り欠いてなる円弧状凹部からなる弾発部挿入係合部１５９が設けられている。また回転体１５０はレバー１５７と回転中心軸Ｌ１とを結ぶ軸線（回転中心軸Ｌ１と直交）に対して回転方向に左右対称の形状に形成されている（但し本発明では必ずしも左右対称でなくても良い）。また内側ガイド部１５１と外側ガイド部１５３と摺動子１７０とは同一の回転中心軸Ｌ１を有する異なる３つの円弧上に配置されている。
【００２１】
摺動子１７０は、前記連結部１５５内に設置される基部１７１と、基部１７１の両側であって内側ガイド部１５１と外側ガイド部１５３の間の隙間から回転体１７０の回転方向に向かって突出する円弧状の一対の摺動冊子１７３とを有して構成されている。つまり摺動子１７０は略円弧状の弾性金属板で構成され、その中央を基部１７１、その両側を摺動冊子１７３としている。基部１７１の中央には成形樹脂を通して回転体１５０と摺動子１７０間の取り付けを確実にする貫通孔１７５が設けられている。摺動子１７０の材質はこの実施形態ではリン青銅板の表面に銀めっきを施したものを用いているが、他の材質であっても良い。
【００２２】
可動接点板１９０は弾性金属板製であり、円形ドーム形状の第２接点板部１９１と、この第２接点板部１９１の外周を間隙を介して囲む円形リング状の第１接点板部１９３と、前記第２接点板部１９１の中心を通る直径線上において第２接点板部１９１の外周縁と第１接点板部１９３の内周縁とを連結する一対の連結部１９５とを具備し、さらに第１接点板部１９３の外周縁の前記一対の連結部１９５に対向する位置から矩形状のガイド部１９７を突出して構成されている。なお前述のように第２接点板部１９１は上方向に凸のドーム形状であるが、第１接点板部１９３もその全周が外周縁から内周縁に向かって上向きに傾斜する円形ドーム形状の外周の一部の形状に形成されている。また第１接点板部１９３の両連結部１９５を接続した部分から９０°回転した位置には、上方に向けて突出するように湾曲変形してなる一対の屈曲部を設け、屈曲部を設けた部分を支持部１９９としている。また前記一対の連結部１９５も第１接点板部１９３から第２接点板部１９１に向かって上向きに傾斜している。可動接点板１９０の材質はこの実施形態ではステンレス板に銀めっきしたものを用いているが、他の各種材質のものを用いても良い。
【００２３】
防塵シート２１０は、可撓性を有する略円形のシートであり、その外径寸法は下記するカバー２３０の開口部２３５の内径寸法よりも大きく形成している。防塵シート２１０の材質はこの実施形態ではゴム材を用いているが、合成樹脂フイルム等、他の各種材質のものを用いても良い。
【００２４】
ねじりコイルバネ２４０は、弾性金属線材をリング状に巻き回したコイル部２４３とコイル部２４３の両端を半径方向外方に向けて突出してなる一対の弾発部２４１とを有して構成されている。コイル部２４３は前記ケース５０のバネ収納部５２に挿入される寸法形状に形成されている。
【００２５】
カバー２３０は平板状の金属板製で前記ケース５０上を覆う外形寸法形状のカバー本体部２３１と、カバー本体部２３１の外周辺の複数ヶ所（この実施形態では４ヶ所）から突出して下方向に直角に折り曲げられるケース係合部２３３とを具備して構成されている。ケース係合部２３３は前記ケース５０の各係合部７７に対向する位置に設けられている。カバー本体部２３１には円形の貫通孔からなる開口部２３５が設けられている。またケース係合部２３３は舌片状（矩形状）の突出片の内部に矩形状に貫通する開口２３７を設けて構成されている。カバー２３０の材質はこの実施形態ではステンレス板を用いているが、他の金属板、その他の各種材質のものを用いても良い。
【００２６】
次にこの回転式電子部品１の組立方法を主として図３を用いて説明する。即ち回転式電子部品１を組み立てるには、ケース５０の押釦スイッチ収納部５１内に可動接点板１９０を収納し、その際可動接点板１９０の一対の支持部１９９をケース５０の一対の接点板載置部５５上に載置し、同時に可動接点板１９０のガイド部１９７をケース５０のガイド溝５７に挿入する。これによって可動接点板１９０は何れの電極板１１０にも接触しない状態でその上方に位置する。一方ケース５０の回転体収納部７１内に摺動子１７０を取り付けた回転体１５０を収納する。その際摺動子１７０の両摺動冊子１７３はそれぞれフレキシブル回路基板９０の一対の摺接パターン９１，９３に弾接する。そして前記可動接点板１９０上の防塵シート収納部５９内に防塵シート２１０を載せ、次にねじりコイルバネ２４０のコイル部２４３をケース５０のバネ収納部５２に収納する。このときねじりコイルバネ２４０の弾発部２４１，２４１はそれぞれ弾発部挿入部６７及び弾発部挿入係合部１５９の両端辺に同時に当接しており、回転体１５０は中立位置に位置している。そしてその上にカバー２３０を被せ、カバー２３０のケース係合部２３３をケース５０の係合部７７にスナップイン係合によって取り付ければ、図１，図２に示す回転式電子部品１が完成する。
【００２７】
この回転式電子部品１はカバー２３０の開口部２３５の中央部分が、図示しないキートップの押圧部が配置され可動接点板１９０の中央を押圧操作する被押圧部Ａとなる。また可動接点板１９０と電極板１１０とによって押釦スイッチ（二段押釦スイッチ）１０が構成される。また摺動子１７０と摺接パターン９１，９３が電気的機能部を構成し、回転体１５０と摺動子１７０とフレキシブル回路基板９０とによって回転式電子部品部３０が構成される。
【００２８】
そしてこの回転式電子部品１は、例えば図示しない回路基板上に設けた各端子パターンに回転式電子部品１の前記各実装面１１３，１３３を半田付け等によって取り付ける。また例えば前記被押圧部Ａ上には図示しないキートップが上下動自在に設置され、またこのキートップの周囲を囲むリング形状の図示しない回転つまみの下部から突出する係止部を前記レバー１５７に係止することで回転つまみの回転によってレバー１５７を回動するようにする。
【００２９】
次にこの回転式電子部品１の動作を主として図７を用いて説明する。図７は回転式電子部品１からカバー２３０と防塵シート２１０とを取り除き、また可動接点板１９０を分解した状態の斜視図である。まず例えば上述のように図１に示す被押圧部Ａ上に設置した図示しないキートップを押圧することで防塵シート２１０の上から可動接点板１９０の第２接点板部１９１の上面中央を押圧すると、まず第１接点板部１９３が弱いクリック感覚と共に反転してその内周辺が外周辺よりも下降し、これによって第１接点板部１９３の内周辺（特に連結部１９５との接続部分付近）が左右両側の電極板１１０に同時に当接し、両者間を導通（オン）する。さらに第２接点板部１９１の上面中央を押圧すると、第２接点板部１９１がクリック感覚と共に反転し、その下面中央が中央の電極板１１０に当接して３枚の電極板１１０が同時に導通（オン）する。前記第２接点板部１９１の中央への押圧を解除すると、前記と逆の動作によりまず中央の電極板１１０がオフし、次に左右両側の電極板１１０間がオフする。
【００３０】
一方上述のようにレバー１５７に係止されてレバー１５７と一体に回転する図示しない回転つまみを回転すると、回転つまみと共に回転体１５０及びこれに取り付けられている摺動子１７０がその中立位置から回転し、摺動子１７０の一対の摺動冊子１７３（具体的にはその先端部近傍の下方向に湾曲突出する弾接部）が摺接パターン９１，９３上を摺動することで、各当接板１３０間の電気的出力（この実施形態の場合は抵抗値の変化）が変化する。このときの回転体１５０の回転中心軸Ｌ１は、回転体収納部７１の外部の位置（具体的には押釦スイッチ収納部５１の中心位置）に位置する。前記回転体１５０の回転は、その内側ガイド部１５１と外側ガイド部１５３がケース５０の回転体収納部７１の両側面５３ａ，７３ａにガイドされることで、円弧状にスムーズに行なえる。なお回転体１５０を中立位置から一方の方向に移動すると、一方の弾発部２４１が弾発部挿入係合部１５９の一方の端辺によって移動させられ、他方の弾発部２４１は弾発部挿入部６７の他方の端辺に弾接したままとなり、これによってねじりコイルバネ２４０がねじられて中立位置への自動復帰力が生じる。なおこの実施形態においては、回転体１５０の外側ガイド部１５３の長さ寸法を上述のように長く形成しているので、回転体１５０を左右に回転した際でも、常にケース５０のレバー挿通部７５は塞がれ、レバー挿通部７５からのゴミ等の侵入を確実に防止できる。
【００３１】
以上説明したように、回転式電子部品１は、円弧状の回転体収納部７１を有してなるケース５０と、回転体収納部７１に収納され回転体収納部７１の外部に位置する回転中心軸Ｌ１を中心にして回転する回転体１５０と、回転体１５０が回転することでその電気的出力を変化する電気的機能部（摺動子１７０及び摺接パターン９１，９３）とを具備し、回転体１５０は、回転体収納部７１の回転中心軸Ｌ１に近い側の側面５３ａと回転中心軸Ｌ１から遠い側の側面７３ａとにそれぞれガイドされて移動する内側ガイド部１５１と外側ガイド部１５３とを有して構成されている。つまりケース５０に設ける回転体収納部７１が円弧状であり、回転中心軸Ｌ１の全周を囲む構造ではないので、その分ケース５０の外形の小型化、即ち回転式電子部品１の外形の小型化が図れる。また回転体１５０を内側ガイド部１５１と外側ガイド部１５３とによってガイドするので、円弧状の回転体収納部７１であっても、その内部を回転体１５０がスムーズに回転方向に移動できる。
【００３２】
また電気的機能部は、ケース５０の回転体収納部７１内に設置される摺接パターン９１，９３と、回転体１５０に設置されて摺接パターン９１，９３上を摺動する摺動子１７０とを具備して構成されている。これによって摺接パターン９１，９３に摺動子１７０が摺接する構造の電気的機能部を構成できる。
【００３３】
また回転体１５０は、その内側ガイド部１５１と外側ガイド部１５３間を連結部１５５によって連結して構成され、摺動子１７０は、連結部１５５から内側ガイド部１５１と外側ガイド部１５３の間の隙間に突出している構成が開示されている。これによって摺動子１７０が内側ガイド部１５１と外側ガイド部１５３とによって保護されるので、摺動子１７０の変形や破壊が防止できる。また摺動子１７０を内側ガイド部１５１と外側ガイド部１５３の間の空きスペースに設置したので、摺動子１７０設置のためのスペースを別途設ける必要がなく、小型化が図れる。
【００３４】
またコイル部２４３と、コイル部２４３の両端から半径方向外方に向けて突出する弾発部２４１とを有してなるねじりコイルバネ２４０を具備し、ねじりコイルバネ２４０のコイル部２４３を、ケース５０の前記回転体収納部７１外側の前記回転中心軸Ｌ１側の部分に設置すると共に、弾発部２４１を回転体収納部７１内に挿入して回転体１５０に係合することで、回転体１５０の自動復帰機構を構成したことが開示されている。これによってケース５０の回転体収納部７１の内側（回転中心軸Ｌ１側）の部分（この実施形態の場合は押釦スイッチ収納部５１）を有効に利用して回転体１５０の自動復帰機構を設置でき、回転式電子部品１を大型化することなく、容易に回転体１５０に自動復帰機能を付与することができる。
【００３５】
図８は本発明の他の回転式電子部品１−２の斜視図である。同図に示す回転式電子部品１−２において、前記回転式電子部品１と同一又は相当部分には同一符号を付す。なお以下で説明する事項以外の事項については、前記図１〜図７に示す回転式電子部品１と同じである。この回転式電子部品１−２において前記回転式電子部品１と相違する点は、回転体１５０のレバー１５７を、前記回転式電子部品１のようにその外周から半径方向外方に向けて突出させる代りに、回転体１５０の上面側（回転体１５０の回転中心軸Ｌ１に平行でフレキシブル回路基板９０から離れる方向）に柱状に突出するレバー１５７Ｂを設け、これに伴なってカバー２３０のカバー本体部２３１のレバー１５７Ｂに対向する位置に、レバー１５７Ｂの回動範囲にわたって円弧状に貫通するつまみ挿通孔２３９を形成した点である。なお図示はしていないが不要となったケース５０のレバー挿通部７５を外周側壁７３で覆っている。このように回転式電子部品１−２を構成すれば、レバー１５７Ｂを回転式電子部品１−２の上面側から操作でき、また回転式電子部品１−２の設置面積の小型化が図れる。
【００３６】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では回転式電子部品部３０の他に押釦スイッチ１０を設けたが、本発明では押釦スイッチ１０は必ずしも必要なく、回転式電子部品部３０だけで回転式電子部品を構成しても良い。また上記実施形態の回転式電子部品１は、回転体１５０の回転によって抵抗値が変化する回転式可変抵抗器であるが、回転体１５０の回転によってスイッチのオンオフ状態が変化する回転式スイッチで構成しても良い。また押釦スイッチ１０の構造は上記実施形態に示した以外の各種構造の二段スイッチでも良く、また一段スイッチでも三段以上のスイッチでも良い。また押釦スイッチ以外の各種機能部品やその他の各種部品を設置しても良い。また上記実施形態では回路基板としてフレキシブル回路基板９０を用いたが、硬質の回路基板を用いても良く、また金属板の表面をケース５０の回転体収納部７１内に露出するようにしこれを摺接パターンとしてもよい。また電気的機能部は摺動子１７０と摺接パターン９１，９３とからなる電気的機能部以外の各種部材からなる電気的機能部であってもよい。
【図面の簡単な説明】
【００３７】
【図１】回転式電子部品１を上側から見た斜視図である。
【図２】回転式電子部品１を下側から見た斜視図である。
【図３】回転式電子部品１の分解斜視図である。
【図４】ケース５０とフレキシブル回路基板９０と電極板１１０と当接板１３０とを分離してそれぞれを別々に示す斜視図である。
【図５】ケース５０内へのフレキシブル回路基板９０等のインサート成形工程を示す図である。
【図６】回転体１５０と摺動子１７０を分離して示した斜視図である。
【図７】回転式電子部品１からカバー２３０と防塵シート２１０とを取り除き、また可動接点板１９０を分解した状態の斜視図である。
【図８】回転式電子部品１−２の斜視図である。
【符号の説明】
【００３８】
１  回転式電子部品（押圧式電子部品付き回転式電子部品）
１０  押釦スイッチ（他の電子部品）
３０  回転式電子部品部
５０  ケース
５１  押釦スイッチ収納部（他部品収納部）
５２  バネ収納部
５３  側壁
５３ａ  側面
７１  回転体収納部
７３  外周側壁
７３ａ  側面
９０  フレキシブル回路基板（回路基板）
９１，９３  摺接パターン（電気的機能部）
１１０  電極板
１３０  当接板
１５０  回転体
１５１  内側ガイド部
１５３  外側ガイド部
１５５  連結部
１７０  摺動子（電気的機能部）
１９０  可動接点板
２１０  防塵シート
２３０  カバー
２４０  ねじりコイルバネ（自動復帰機構）
２４１  弾発部
２４３  コイル部
Ｌ１  回転中心軸
【図１】
2008071590.tif 000003
【図２】
2008071590.tif 000004
【図３】
2008071590.tif 000005
【図４】
2008071590.tif 000006
【図５】
2008071590.tif 000007
【図６】
2008071590.tif 000008
【図７】
2008071590.tif 000009
【図８】
2008071590.tif 000010